(57)【要約】【課題】前後に撮影された静止画像間の撮影シーンの変化を表示できるようにした表示制御装置、表示制御方法、およびプログラムを提供する。【解決手段】当該画像および当該画像の撮影状態の情報である第１の撮影情報と、当該画像の後に撮影された次画像および次画像の撮影状態の情報である第２の撮影情報をそれぞれ記憶する画像記憶部２５と、第１の撮影情報および第２の撮影情報とから、当該画像から次画像までの画像の連続的な変化を疑似的に示す経過画像を作成する経過画像作成と、経過画像を表示させるよう制御する表示制御部１１ａを備える。経過画像は、第１層メッシュ６１ｘ、６１ｙと、第２層メッシュ６２ｘ、６２ｙと、第３層メッシュ６３ｘ、６３ｙ、第４層メッシュ６４ｘ、６４ｙを用いて作成する。【選択図】  図５
2011141585.tif 000002
【特許請求の範囲】
【請求項１】
第１の静止画像および当該第１の静止画像の撮影状態の情報である第１の撮影情報と、上記第１の静止画像の後に撮影された第２の静止画像および当該第２の静止画像の撮影状態の情報である第２の撮影情報をそれぞれ記憶する画像記憶部と、
上記第１の撮影情報および上記第２の撮影情報とから、上記第１の撮影画像から上記第２の撮影画像までの画像の連続的な変化を疑似的に示す経過画像を作成する経過画像作成部と、
上記経過画像を表示させるよう制御する表示制御部と、
を備えることを特徴とする表示制御装置。
【請求項２】
上記経過画像作成部は、空間に仮想的に設定されたメッシュが、上記第１の撮影情報から第２の撮影情報へ変化しながらの撮影条件によって撮影されたかのように、メッシュの形状を変化させた仮想の画像を、経過画像として作成することを特徴とする請求項１に記載の表示制御装置。
【請求項３】
上記経過画像作成部は、上記第１の撮影情報及び上記第２の撮影情報に含まれる撮影位置の情報及び撮影画像の方角と仰角を示す情報に基づいて、上記経過画像を作成することを特徴とする請求項２に記載の表示制御装置。
【請求項４】
上記表示制御部は、上記第１の静止画像から上記第２の静止画像への表示の切換え時に、上記経過画像を表示させるように制御することを特徴とする請求項１に記載の表示制御装置。
【請求項５】
上記第１の撮影情報及び上記第２の撮影情報には、さらに、撮影ズーム情報が含まれることを特徴とする請求項１に記載の表示制御装置。
【請求項６】
第１の静止画像および当該第１の静止画像の撮影状態の情報である第１の撮影情報と、上記第１の静止画像の後に撮影された第２の静止画像および当該第２の静止画像の撮影状態の情報である第２の撮影情報をそれぞれ記憶し、
上記第１の撮影情報および上記第２の撮影情報とから、上記第１の撮影画像から上記第２の撮影画像までの画像の連続的な変化を疑似的に示す経過画像を作成し、
上記経過画像を表示させる、
ことを特徴とする表示制御方法。
【請求項７】
第１の静止画像および当該第１の静止画像の撮影状態の情報である第１の撮影情報と、上記第１の静止画像の後に撮影された第２の静止画像および当該第２の静止画像の撮影状態の情報である第２の撮影情報をそれぞれ記憶し、
上記第１の撮影情報および上記第２の撮影情報とから、上記第１の撮影画像から上記第２の撮影画像までの画像の連続的な変化を疑似的に示す経過画像を作成し、
上記経過画像を表示させる、
ことをコンピュータに実行させるプログラム。
【発明の詳細な説明】
【技術分野】
【０００１】
本発明は、表示制御装置、表示制御方法、およびプログラムに関し、詳しくは、前後で撮影された２コマの静止画を連続表示する際に、この２コマの静止画の間に経過画像を表示する表示制御装置、表示制御方法、およびプログラムに関する。
【背景技術】
【０００２】
連写等の特殊な撮影を除くと、通常の静止画は断続的に撮影される。そのため、気にいった場所が撮影された静止画をスライドショー等により連続再生すれば動画再生するよりも短時間で鑑賞できるという利点がある。しかし、名所・旧跡を訪ね、そのとき撮影した画像を連続再生しても、その場所を訪れたことのない者にとっては、画像間のつながりや関連性が分かりにくく、連続再生を十分楽しめず、また感情移入しずらいものになってしまう欠点もある。
【０００３】
一方、このような静止画画像間の空隙を埋めるための表示装置も提案されている。例えば、特許文献１には、撮影日時と撮影位置に基づき、年代別地図から２Ｄ地図画像を作成する仮想風景作成部を備え、撮影されなかった撮影当時の風景も含めて画像を再生することのできる仮想移動表示装置が提案されている。
【先行技術文献】
【特許文献】
【０００４】
【特許文献１】特開２００９−１８７２１０号公報
【発明の概要】
【発明が解決しようとする課題】
【０００５】
前述したように、従来の静止画再生では、撮影順に連続的に切り換えて表示するしかなく、動画のように連続的な画像を表示することができない。このため、テーマパーク、名所・旧跡等、思い出の場所で撮影された静止画を再生表示しても、物足らなさが残るという問題があった。静止画再生時に、静止画像間での撮影シーンの変化の様子が表示されれば、動画撮影を鑑賞しているかのようにも感じ、静止画間の関連性が分かることから、従来に比較し静止画表示の楽しみが倍増するはずである。
【０００６】
本発明は、このような事情を鑑みてなされたものであり、前後に撮影された静止画像間の撮影シーンの変化を表示できるようにした表示制御装置、表示制御方法、およびプログラムを提供することを目的とする。
【課題を解決するための手段】
【０００７】
上記目的を達成するため第１の発明に係わる表示制御装置は、第１の静止画像および当該第１の静止画像の撮影状態の情報である第１の撮影情報と、上記第１の静止画像の後に撮影された第２の静止画像および当該第２の静止画像の撮影状態の情報である第２の撮影情報をそれぞれ記憶する画像記憶部と、上記第１の撮影情報および上記第２の撮影情報とから、上記第１の撮影画像から上記第２の撮影画像までの画像の連続的な変化を疑似的に示す経過画像を作成する経過画像作成部と、上記経過画像を表示させるよう制御する表示制御部と、を備える。
【０００８】
第２の発明に係わる表示制御装置は、上記第１の発明において、上記経過画像作成部は、空間に仮想的に設定されたメッシュが、上記第１の撮影情報から第２の撮影情報へ変化しながらの撮影条件によって撮影されたかのように、メッシュの形状を変化させた仮想の画像を、経過画像として作成する。
【０００９】
第３の発明に係わる表示制御装置は、上記第２の発明において、上記経過画像作成部は、上記第１の撮影情報及び上記第２の撮影情報に含まれる撮影位置の情報及び撮影画像の方角と仰角を示す情報に基づいて、上記経過画像を作成する。
【００１０】
第４の発明に係わる表示制御装置は、上記第１の発明において、上記表示制御部は、上記第１の静止画像から上記第２の静止画像への表示の切換え時に、上記経過画像を表示させるように制御する。
第５の発明に係わる表示制御装置は、上記第１の発明において、上記第１の撮影情報及び上記第２の撮影情報には、さらに、撮影ズーム情報が含まれる。
【００１１】
第６の発明に係わる表示制御方法は、第１の静止画像および当該第１の静止画像の撮影状態の情報である第１の撮影情報と、上記第１の静止画像の後に撮影された第２の静止画像および当該第２の静止画像の撮影状態の情報である第２の撮影情報をそれぞれ記憶し、上記第１の撮影情報および上記第２の撮影情報とから、上記第１の撮影画像から上記第２の撮影画像までの画像の連続的な変化を疑似的に示す経過画像を作成し、上記経過画像を表示させる。
【００１２】
第７の発明に係わるプログラムは、第１の静止画像および当該第１の静止画像の撮影状態の情報である第１の撮影情報と、上記第１の静止画像の後に撮影された第２の静止画像および当該第２の静止画像の撮影状態の情報である第２の撮影情報をそれぞれ記憶し、上記第１の撮影情報および上記第２の撮影情報とから、上記第１の撮影画像から上記第２の撮影画像までの画像の連続的な変化を疑似的に示す経過画像を作成し、上記経過画像を表示させる、ことをコンピュータに実行させる。
【発明の効果】
【００１３】
本発明によれば、前後に撮影された静止画像間の撮影シーンの変化を表示できるようにした表示制御装置、表示制御方法、およびプログラムを提供することができる。
【図面の簡単な説明】
【００１４】
【図１】本発明の一実施形態に係わるカメラの主として電気回路の構成を示すブロック図である。
【図２】本発明の一実施形態に係わるカメラを用いて、複数の箇所で撮影する様子を示す図である。
【図３】本発明の一実施形態に係わるカメラを用いて、複数の箇所で撮影した撮影画像を示す図である。
【図４】本発明の一実施形態に係わるカメラを用いて撮影した撮影画像を再生する際の経過画像の表示に使用するメッシュを説明する図である。
【図５】本発明の一実施形態に係わるカメラを用いて撮影した最初の撮影画像から２番目の撮影画像に移る際の経過画像を示す図である。
【図６】本発明の一実施形態に係わるカメラを用いて撮影した最初の撮影画像から２番目の撮影画像に移る際の経過画像を示す図であり、図５の続きの経過画像と２番目の撮影画像を示す図である。
【図７】本発明の一実施形態に係わるカメラを用いて撮影した２番目の撮影画像から３番目の撮影画像に移る際の経過画像を示す図である。
【図８】本発明の一実施形態に係わるカメラを用いて撮影した３番目の撮影画像から４番目の撮影画像に移る際の経過画像を示す図である。
【図９】本発明の一実施形態に係わるカメラの再生モードの動作を示すフローチャートである。
【図１０】本発明の一実施形態に係わるカメラの経過画像作成の動作を示すフローチャートである。
【図１１】本発明の一実施形態に係わるカメラの経過画像を作成する際に使用した数値の一例を示す図である。
【発明を実施するための形態】
【００１５】
以下、図面に従って本発明を適用したカメラを用いて好ましい実施形態について説明する。本発明の好ましい一実施形態に係わるカメラは、デジタルカメラであり、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、画像データが記録媒体に記録される。記録媒体に記録された画像データは、再生モードを選択すると、表示部に再生表示することができる。
【００１６】
図１は、本発明の一実施形態に係わるデジタルカメラの構成を示すブロック図である。制御部（ＣＰU：Central
Processing Unit）１１は、プログラム／データ記憶部１２に記憶された制御プログラムに従って動作し、デジタルカメラの全体制御を行う。制御部１１内には、表示制御部１１ａ、撮影情報検出部１１ｂ、撮影距離検出部１１ｃが設けられている。制御部１１内の１１ａ〜１１ｃは、制御プログラムにより実行される処理の一部であるので、制御部１１に含まれる機能部として説明する。
【００１７】
撮影距離検出部１１ｃは、被写体までの距離、すなわち撮影距離を検出する。被写体までの距離は、例えば、撮影レンズのピント位置を検出することによって取得するが、これ以外にも、アクティブ測距等によって、直接、被写体までの距離を検出する測距装置を搭載しているカメラであれば、これらの測距装置によって撮影距離を検出してもよい。また、撮影距離検出部１１ｃは、撮影レンズの焦点距離情報(ズーム情報)も検出する。
【００１８】
撮影情報検出部１１ｂは、後述する経過画像を作成する際に必要になる撮影情報を検出する。撮影情報としては、前述の撮影距離検出部１１ｃによって検出される撮影距離情報、撮影焦点距離情報、後述するＧＰＳ１４によって検出される撮影位置情報、方角検出部１５によって検出される撮影方角情報、仰角検出部１６によって検出される撮影仰角情報等がある。
【００１９】
表示制御部１１ａは、画像記憶部２５に記録されている静止画像を再生表示する際に、２つの静止画像の間に、経過画像を表示させるような表示制御を行う。経過画像は、２つの静止画像間での撮影シーンの変化の様子を示す画像であり、後述する経過画像作成部２８によって生成される。
【００２０】
制御部１１には、プログラム及びデータ記憶部１２、操作部１３、ＧＰＳ１４、方角検出部１５、仰角検出部１６、及びバス３０が接続されている。プログラム及びデータ記憶部１２には前述したように制御部１１において実行するプログラムが記憶されており、また各種データも記憶されており、後述する経過画像作成部２８において経過画像を作成する際に使用する３次元のメッシュデータも記憶している。操作部１３は、ユーザがカメラに指示を与えるための各種操作部材を含み、電源釦、レリーズ釦、ＸＹ釦等を有する。
【００２１】
ＧＰＳ１４は、全地球測位システム（Global Positioning System）であり、複数の衛星からそれぞれ信号を受信し、これらの信号に基づいて現在位置を検出する。方角検出部１５は、電子コンパス等を有し、カメラ１０の撮影レンズの光軸が東西南北のどちらの方向を向いているかを検出する。仰角検出部１６は、加速度センサ（あるいは角度センサ）等を有し、カメラ１０の撮影レンズの光軸が水平線からどの位、上または下を向いているかの角度を検出する。これらのＧＰＳ１４、方角検出部１５、および仰角検出部１６の検出信号は、前述の撮影情報検出部１１ｂに出力される。
【００２２】
バス３０には、前述の制御部１１の他に、撮像部２０、ＳＤＲＡＭ２１、画像処理部２２、圧縮伸張部２３、記録再生部２４、表示処理部２６、経過画像作成部２８が接続されている。撮像部２０は、被写体像を結像させるための撮影レンズ、被写体像を画像データに変換するための撮像素子、及びこれらの処理回路、撮影レンズの光路中に介挿された絞り及びシャッタ等を含む。撮像部２０によって生成された画像データはバス３０に出力される。
【００２３】
ＳＤＲＡＭ（Dynamic Random Access Memory）２１は電気的に書き換え可能な揮発性の一時記憶メモリであり、撮像部２０から出力される静止画や動画の画像データ等の一時記憶に用いられる。画像処理部２２は、画像データのデジタル的増幅（デジタルゲイン調整処理）、ホワイトバランス、色補正、ガンマ（γ）補正、コントラスト補正、ライブビュー表示用画像生成、動画画像生成等の各種の画像処理を行なう。
【００２４】
また圧縮伸張部２３はＳＤＲＡＭ２１に一時記憶された静止画や動画の画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００２５】
経過画像作成部２８は、画像記憶部２５に記憶された静止画をスライドショー等によって２コマ以上の画像を連続的に再生表示する際に、静止画と静止画の間に表示する経過画像を作成する。この経過画像は、２つの静止画の撮影距離情報、撮影位置情報、撮影方角情報、および撮影仰角情報等の撮影情報と、プログラム／データ記憶部１２に記憶されている３次元のメッシュデータに基づいて作成され、２つの静止画の連続的な変化を疑似的に示す画像である。この経過画像の詳細については、図２ないし図８を用いて後述する。
【００２６】
表示処理部２６は、撮影時にはライブビュー表示、再生時には再生画像を、表示部２７に表示させる。また、表示処理部２６は、スライドショー等により複数の画像を連続的に再生表示する際には、表示制御部１１ａの制御の下で、経過画像の表示も表示部２７に行わせる。表示部２７は、表示処理部２６に接続されており、カメラ１０の本体の背面等に配置された液晶モニタや有機ＥＬ等のディスプレイを有し、表示処理部２６の制御によりディスプレイの画面に所定の画像が表示される。
【００２７】
記録再生部２４は、圧縮伸張部２３において圧縮された画像データを画像記憶部２５に記憶し、また、画像記憶部２５に記憶された撮影画像の画像データを読み出す。この読み出された画像データは、圧縮伸張部２３において伸張され、この伸張された画像データに基づいて、表示部２７に画像が再生表示される。画像記憶部２２は、記録再生部２１に接続されており、デジタルカメラ本体に内蔵、または装填可能な画像データの記録媒体である。また、画像データの記憶にあたっては、画像データとともに、前述の撮影距離情報、撮影位置情報、撮影方向情報、撮影仰角情報、撮影焦点距離情報等の撮影情報が記憶される。
【００２８】
次に、図２ないし図８を用いて、２つの静止画の間に表示される経過画像について説明する。図２は、被写体（ここでは大仏）５０の撮影地点と、そのときの撮影情報を示す。図２の例では、撮影地点は４点あり、最初に撮影された地点が撮影地点Ａであり、続いて、撮影地点Ｂ、撮影地点Ｃ、撮影地点Ｄの順で、被写体５０を撮影している。右下の矢印は東西南北を表わす矢印である。左斜め上方向が北であり、右斜め上方向が東である。
【００２９】
撮影地点Ａの撮影位置は（Ｘａ，Ｙａ）であり、このときの撮影方向はθａ（真北）であり、撮影仰角はαａであり、撮影距離はＬａである。この撮影地点Ａで撮影した静止画は、図３（ａ）に示すように、被写体５０を正面から撮影した画像Ａである。
【００３０】
撮影地点Ａから撮影地点Ｂまでは、撮影者は経路ＡＢに沿って移動しており、撮影地点Ｂの撮影位置は（Ｘｂ，Ｙｂ）であり、このときの撮影方向はθｂでθａと同じ真北であり、撮影仰角はαｂであり、撮影距離はＬｂである。この撮影地点Ｂで撮影した静止画は、図３（ｂ）に示すように、撮影地点Ａから被写体５０に更に近づき正面から見上げて撮影した画像Ｂである。
【００３１】
撮影地点Ｂで撮影すると、撮影者は、撮影地点Ｂから撮影地点Ｃまで経路ＢＣに沿って移動する。撮影地点Ｃの撮影位置は（Ｘｃ，Ｙｃ）であり、このときの撮影方向はθｃであり、撮影仰角はαｃであり、撮影距離はＬｃである。この撮影地点Ｃで撮影した静止画は、図３（ｃ）に示すように、被写体５０の左下から見上げて撮影した画像Ｃである。
【００３２】
撮影地点Ｃで撮影すると、撮影者は、撮影地点Ｃから撮影地点Ｄまで経路ＣＤに沿って移動する。撮影地点Ｄの撮影位置は（Ｘｄ，Ｙｄ）であり、このときの撮影方向はθｄであり、撮影仰角はαｄであり、撮影距離はＬｄである。この撮影地点Ｄで撮影した静止画は、図３（ｄ）に示すように、被写体５０の右側のやや遠方から撮影した画像Ｄである。
【００３３】
撮影地点Ａ〜Ｄで撮影した静止画を再生表示する際に、これらの静止画の間に表示する経過画像は、図４に示すような３次元のメッシュを用いて作成する。これは、撮影空間に仮想的にメッシュを固定配置し、この仮想メッシュが移動しながら撮影されたかのように、仮想メッシュの形状を連続的に変化させて表示することで、視点の移動の様子を疑似的に３次元で表現できるからである。つまり、撮影位置の移動や撮影の仰角の変化に合わせて撮影されるであろうメッシュの刻々の形状を、シミュレーションして表示することで、これを見ている側では、実際にその場面で、場所を移動したり、カメラの仰角を変えたりしている雰囲気が体現される。この仮想的なメッシュのアニメーション画像を経過画像とする。
【００３４】
３次元メッシュは、第１層メッシュ６１から第ｎ層メッシュ（本実施形態においては第５層メッシュまで示す）から構成され、各層のメッシュは、直交する格子模様となっている。ここでは東向きをＸ方向とし、北向きをＹ方向としている。また、被写体５０は、第２層メッシュ６２と第３層メッシュ６３の間に存在するものとして、経過画像を作成する際には、被写体５０の直下・直上となる第２層メッシュ６２と第３層メッシュ６３は太線で表わし、第１層メッシュ６１と第４層メッシュ６４は細線で表わす。なお、第５層メッシュ以降は、経過画像が煩雑になることから、本実施形態では表示しない。
【００３５】
次に、撮影地点Ａで撮影した画像Ａから、撮影地点Ｂで撮影した画像Ｂの間に表示される経過画像を図５および図６に示す。図５（ａ）は、撮影地点Ａにおいて撮影した静止画の画像Ａである。この画像Ａを再生表示した後、図６（ｃ）に示す撮影地点Ｂにおいて撮影した静止画の画像Ｂを再生表示するまでの間に表示する画像が、経過画像である。経過画像の作成にあたっては、撮影位置情報、撮影距離Ｌ、撮影方向θ、撮影仰角α等が必要であり、図５および図６においては、図１１に示される値を前提に経過画像を作成している。図１１は、撮影地点Ａと撮影地点Ｂの間を１例として、４つのタイミングに分割したものである。撮影距離Ｌと仰角αについて、Ａ→Ｂで段階的に変化させている。方向θとズーム比は一定である。
【００３６】
経過画像としては、まず、図５（ｂ）に示すように、画像Ａの濃淡を薄くし、この薄くした画像Ａにメッシュを重畳して表示する。重畳されるメッシュの画像は、図４に示す各階層のメッシュを撮影地点Ａにおいて各撮影条件で撮影したと仮定した場合の画像である。画像Ａが次第に薄くなり（フェードアウト）、ついには図５（ｃ）に示すようなメッシュのみの画像となる。前述したように、被写体５０は、第２層メッシュ６２と第３層メッシュ６３の間にあるものとして、３次元メッシュが配置される。このため、あたかも第１層メッシュ６１及び第２層メッシュ６２が床６８であり、第３層メッシュ６３および第４層メッシュ６４が天井６７のように見える。
【００３７】
そして、各層のメッシュのＹ方向の格子、すなわち、第１層メッシュ６１の縦線６１ｙ、第２層メッシュの縦線６２ｙ、第３層メッシュの縦線６３ｙ、第４層メッシュの縦線６４ｙは、消点６６に収束するように描かれる。また、各層のメッシュのＸ方向の格子、すなわち、第１層メッシュ６１の横線６１ｘ、第２層メッシュの横線６２ｘ、第３層メッシュの横線６３ｘ、第４層メッシュの縦線６４ｘは、水平線と並行に描かれる。
【００３８】
図５（ｃ）に示すような３次元メッシュのみの画像となると、次に、３次元メッシュの空間の中を、撮影地点Ａから撮影地点Ｂに向けて移動しながら図４に示すようなメッシュを撮影していくように、３次元メッシュの形状を変化させる。この撮影地点の移動を３次元メッシュを用いて表現するにあたって、両撮影地点における仰角の相違を考慮する。すなわち、画像Ａを撮影した撮影地点Ａでの仰角情報はαａであり、撮影地点Ｂでの仰角情報はαｂである。撮影地点Ｂにおける仰角αｂの方が、撮影地点Ａにおける仰角αａよりも大きいことから、経過画像としては、目線が上がるように、３次元メッシュの画像を変化させていく。目線が上がるように表現するには、天井６７の比率が高まるように、図５（ｄ）に示すように、消点６６を徐々に下に向けて移動させていけばよい。
【００３９】
消点６６が徐々に下げながら、言い換えると、徐々に上を見上げながら撮影地点Ｂに向けて移動していき、撮影地点Ｂに近づき始めると、撮影地点Ｂで撮影した画像Ｂの位置と大きさに相当したサイズで、図５（ｅ）に示すように、次画像フレーム６９が表示される。
【００４０】
さらに、撮影地点Ｂに近づくと、次画像フレーム６９のサイズは、図６（ａ）に示すように、徐々に大きくなる。そして、撮影地点Ｂに達すると、図６（ｂ）に示すように、メッシュを次第に薄く表示させ（フェードアウト）、画像Ｂを次第に濃く表示させる（フェードイン）。このメッシュは、図４に示すようなメッシュを、撮影地点Ｂにおいてその撮影条件で撮影したかのような画像である。フェードアウトとフェードインを行って、図６（ｃ）に示すように、撮影地点Ｂから撮影した画像Ｂのみを表示させる。
【００４１】
撮影地点Ｂで撮影した画像Ｂを表示すると、次に、画像Ｃの表示を行うことになるが、その前に、図５および図６と同様に、撮影地点Ｃに向けて移動する様子を示す経過画像を作成し、表示する。この撮影地点Ｂから撮影地点Ｃに向けての経過画像を、図７に示す。まず、撮影地点Ｂでの画像Ｂを表示し(図７（ａ）)、画像Ｂをフェードアウトするとともに、メッシュをフェードインで表示する（図７（ｂ））。ここで、最初に表示されるメッシュは、図６（ｂ）で表示されたメッシュと同じ画像である。
【００４２】
撮影地点Ａから撮影地点Ｂへの移動は、被写体５０の正面に向かって移動するだけであったが、撮影地点Ｂから撮影地点Ｃへの移動は、被写体５０の正面から左側に向かって移動することから、消点６６は、図７（ｃ）（ｄ）（ｅ）に示すように、次第に左側に移動する。また、撮影地点Ｃに近づくにつれて、図７（ｄ）（ｅ）（ｆ）に示すように、撮影地点Ｃで撮影した画像Ｃの位置と大きさに相当したサイズの次画像フレーム６９が現われてくる。
【００４３】
そして、撮影地点Ｃに達すると、図７（ｇ）に示すように、メッシュを次第に薄く表示させ（フェードアウト）、画像Ｃを次第に濃く表示させる（フェードイン）。このフェードアウトとフェードインを行って、図７（ｈ）に示すように、撮影地点Ｃから撮影した画像Ｃのみを表示させる。
【００４４】
撮影地点Ｃで撮影した画像Ｃを表示すると、次に、画像Ｄの表示を行うが、その前に、図７と同様に、撮影地点Ｄに向けて移動する様子を示す経過画像を作成し、表示する。この撮影地点Ｃから撮影地点Ｄに向けての経過画像を、図８に示す。この経過画像は、図７に示した画像と同様にして作成されるので、対応する図については、同一の（ａ）〜（ｇ）を付し、詳しい説明は省略する。なお、撮影地点Ｄに向けての経過画像においても、次画像フレーム６９が表示されるが、図８においては、省略してある。
【００４５】
次に、本実施形態の再生モードを実行するためのフローについて、図９および図１０に示すフローチャートを用いて説明する。このフローはプログラム／データ記憶部１２に記憶されているプログラムに従って制御部１１によって実行される。
【００４６】
再生モードのフローに入ると、まず、スライドショーの指示があるか否かの判定を行う（Ｓ１１）。メニュー画面等において、再生モードの際の表示方法を設定できるので、このステップでは、設定されている表示方法に基づいて判定する。ステップＳ１１における判定の結果、スライドショーが設定されていなかった場合には、１コマ表示が設定されていることから、次に、１コマの画像データを読み出し（Ｓ１２）、画像表示を行う（Ｓ１３）。これらのステップにおいては、画像記憶部２５に記憶されている画像データの中から、指定されたコマの画像データを読み出し、表示部２７に表示する。画像表示を行うと、ステップＳ１１に戻る。
【００４７】
ステップＳ１１における判定の結果、スライドショーが設定されていた場合には、次に、画像指定がなされているか否かの判定を行う（Ｓ１４）。スライドショーを開始するにあたって、ユーザはスライドショーを開始する画像のコマ番号を指定できるので、このステップでは、このコマ番号が指定されているか否かの判定を行う。
【００４８】
ステップＳ１４における判定の結果、画像の指定が無かった場合には、Ｎｏ．１のコマ、すなわち、記憶されている画像の中で、一番最初の画像を指定する（Ｓ１５）。Ｎｏ．１のコマを指定すると、またはステップＳ１４における判定の結果、画像指定が有った場合には、次に、当該画像および撮影情報の読み出しを行う（Ｓ１６）。このステップでは、指定されたコマ番号の画像データ（第１の静止画像と称す）を画像記憶部２５から読み出すとともに、画像データと関連付けて記憶されている撮影距離情報，撮影位置情報，撮影方角情報、撮影仰角情報、撮影焦点距離情報等の撮影情報（第１の撮影情報と称す）を読み出す。
【００４９】
続いて、次画像および撮影情報（第２の撮影情報と称す）の読み出しを行う（Ｓ１７）。ここでは、次画像の画像データ（第２の静止画像と称す）および撮影情報をステップＳ１６の場合と同様に、画像記憶部２５から読み出す。当該画像と次画像の画像データおよび撮影情報が読み出されると、次に、経過画像の作成を行う（Ｓ１８）。ここでは、図２ないし図８を用いて説明した経過画像を作成する。経過画像作成のフローの詳細については、図１０を用いて後述する。
【００５０】
経過画像を作成すると、次に、当該画像の表示を行う（Ｓ１９）。ここでは、読み出された当該画像の画像データに基づいて、当該画像を表示部２７に表示する。続いて、ステップＳ１８において作成された経過画像を表示部２７に表示する（Ｓ２０）。経過画像の表示時間は、例えば、１ｓｅｃ〜２ｓｅｃとして、その間に作成された何枚かの経過画像を切換え表示する。経過画像を表示すると、続いて、次画像を表示部２７に表示する（Ｓ２１）。
【００５１】
次画像を表示すると、次に、オフ指示がなされたか否かの判定を行う（Ｓ２２）。ここでは、電源オフのために電源釦が操作されたか否かを判定する。この判定の結果、オフ指示がなされていなかった場合には、次に、再生モードの切換指示がなされたか否かの判定を行う（Ｓ２３）。ここでは、メニュー画面で再生モードが切り換えられたか否かを判定する。
【００５２】
ステップＳ２３における判定の結果、再生モードの切換指示がなされていなかった場合には、ステップＳ１７に戻る。ステップＳ１７に戻ると、次画像とした画像を当該画像に置き換え、ステップＳ１７において読み出した画像を次画像として、前述の処理を実行する。一方、ステップＳ２３における判定の結果、再生モードの切換指示がなされた場合には、ステップＳ１１に戻る。
【００５３】
ステップＳ２２における判定の結果、オフ指示がなされた場合には、カメラ１０の動作を終了するためのオフ処理を行い（Ｓ２４）、動作を終了する。
【００５４】
次に、ステップＳ１８における経過画像作成のフローについて、図１０を用いて説明する。経過画像作成のフローに入ると、まず、位置情報を求め、各点での撮影距離Ｌの算出を行う（Ｓ３１）。このステップでは、当該画像の撮影地点から次画像の撮影地点に移動する際の位置(各点)を求め、それぞれの位置において、被写体５０までの撮影距離Ｌを算出する。経過画像を滑らかに再生するためには、経路中の多数の位置に対して、撮影距離Ｌを算出することが望ましいが、経過画像の表示時間と画像の滑らかさを勘案して、算出する位置(各点)を決定する。
【００５５】
続いて、方角情報から各点での方角θを算出する（Ｓ３２）。ステップＳ３１において決定した各点について、被写体５０の方角θを算出する。方角θを算出すると、続いて、仰角情報から各点での仰角αを算出する（Ｓ３３）。このステップでも、ステップＳ３１において決定した各点について、被写体５０の仰角αを算出する。次に、ズーム情報（撮影焦点距離情報）から、各点の画角を算出する（Ｓ３５）。このステップでも、ステップＳ３１において決定した各点について、撮影レンズの焦点距離を算出する。
【００５６】
ステップＳ３１からＳ３４において、各点でのデータを算出すると、次に、経路画像を作成する（Ｓ３５）。このステップでは、各点における図５（ｂ）（ｃ）（ｄ）（ｅ）、図６（ａ）（ｂ）において示したような、３次元のメッシュで表わされる経過画像を作成する。すなわち、画像Ａ〜Ｄのフェードインおよびフェードアウト画像を生成し、また、経路に沿っての３次元メッシュ画像を生成し、次画像フレーム６９等を生成し、これらの画像を重畳して、各点ごとに経路画像を生成する。
【００５７】
経路画像を作成すると、元のフローに戻る。ステップＳ３５において作成された各点ごとの画像を、ステップＳ２０において、順次、表示することにより、経過画像となる。
【００５８】
以上説明したように、本発明の一実施形態においては、当該画像の撮影情報および次画像の撮影情報とから、当該画像から次画像までの間の連続的な変化を疑似的に示す経過画像を作成し、この経過画像を当該画像と次画像の間に表示するようにしている。このため、前後に撮影された静止画像間の撮影シーンの変化を表示でき、移動の様子も分かり、動画撮影を鑑賞しているかのようにも感じ、静止画間の関連性が分かることから、従来に比較し静止画表示の楽しみが倍増する。
【００５９】
また、本発明の一実施形態においては、経過画像として３次元メッシュを用いて表示しているので、画面に奥行き感を出すことができ、リアリティのある表現とすることができる。また、３次元メッシュは、縦横の線で表示できることから、経路に沿って経路画像を生成する際に、演算が簡単であり、表示の高速化を図ることができる。
【００６０】
なお、本発明の一実施形態においては、撮影位置情報、撮影距離情報、撮影方角情報、撮影仰角情報、撮影焦点距離情報を使用して、経過画像を作成したが、これのいずれかを省略し、経過画像を簡単化してもよく、また他の情報、例えば、撮影時間情報等を加えて、より精密なリアリティのある経過画像としても勿論かまわない。
【００６１】
また、本発明の一実施形態においては、３次元メッシュは、直交する２直線を用いたが、９０度以外の角度で交わる２直線によって３次元メッシュを表わすようにしてもよい。また、直線に限らず、曲線を用いるようにしてもよい。さらに、メッシュに限らず、陰影を付した面で経過画像を作成するようにしてもよい。
【００６２】
さらに、本発明の一実施形態においては、被写体５０として、大仏を種々の角度から撮影した画像をスライドショーする場合について説明したが、これに限らず、異なる被写体を順次撮影していく場合についても本発明を適用することができる。上記実施形態では、処理の実行をソフトウエア処理とハードウエア処理の組合せで説明したが、これに限られるものではなく、その組み合わせは選択事項である。なお、制御部１１がプログラムデータ記憶部１２に格納された操作制御用のプログラムを読み出して実行されることで、上記被写体に応じた撮影シーンの選択設定が実現されるので、このようなソフトウエア処理に関する制御用プログラムも本発明となる。また、このような制御用プログラムが記録された記録媒体も本発明となる。
【００６３】
さらに、本発明の一実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【００６４】
さらに、本発明の一実施形態においては、撮影機能のあるカメラを例に挙げて説明したが、撮影済みの静止画の画像データを記憶し、この画像データを再生表示する際に、経過画像を作成し、この経過画像を表示するようにしてもよい。この場合には、画像データの記憶部には、画像データとともに撮影情報も記憶しておく。表示装置としては、テレビやパーソナルコンピュータを利用すればよい。
【００６５】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００６６】
１０・・・カメラ、１１・・・制御部（ＣＰＵ）、１１ａ・・・表示制御部、１１ｂ・・・撮影情報検出部、１１ｃ・・・撮影距離検出部、１２・・・プログラム／データ記憶部、１３・・・操作部、１４・・・ＧＰＳ、１５・・・方角検出部、１６・・・仰角検出部、２０・・・撮像部、２１・・・ＳＤＲＡＭ、２２・・・画像処理部、２３・・・圧縮伸張部、２４・・・記録再生部、２５・・・画像記憶部、２６・・・表示処理部、２７・・・表示部、２８・・・経過画像作成部、３０・・・バス、５０・・・被写体、６１・・・第１層メッシュ、６２・・・第２層メッシュ、６３・・・第３層メッシュ、６４・・・第４層メッシュ、６６・・・消点、６７・・・天井、６８・・・床、６９・・・次画像フレーム
【図１】
2011141585.tif 000003
【図２】
2011141585.tif 000004
【図３】
2011141585.tif 000005
【図４】
2011141585.tif 000006
【図５】
2011141585.tif 000007
【図６】
2011141585.tif 000008
【図７】
2011141585.tif 000009
【図８】
2011141585.tif 000010
【図９】
2011141585.tif 000011
【図１０】
2011141585.tif 000012
【図１１】
2011141585.tif 000013